(57)【要約】【課題】パン挿入口からの塵埃の侵入を防止できると共に操作性がよいトースターを提供する。【解決手段】パン挿入口１０ａ，１０ｂから挿入されたパンを支える昇降台を昇降させるための操作レバー３０の操作に連動して、パン挿入口１０ａ，１０ｂに設けられた蓋体２０ａ，２０ｂが開閉する。操作レバー３０が上方向に操作された場合、蓋体２０ａ，２０ｂは筐体１０の外側に開き、操作レバー３０が下方向に操作された場合、蓋体２０ａ，２０ｂは筐体１０の内側に開く。【選択図】図１
2016010625.tif 000002
【特許請求の範囲】
【請求項１】
上面にパン挿入口を有する筐体と、該筐体の内部に設けてあり、前記パン挿入口から挿入されるパンを下方から支えて昇降移動する昇降台と、前記筐体の外部での操作により前記昇降台を昇降させる操作レバーとを備えるトースターにおいて、
前記パン挿入口を開閉する蓋体と、
前記操作レバーの操作を前記蓋体の開閉動作に連動させる連動機構と
を備えることを特徴とするトースター。
【請求項２】
前記蓋体は、前記筐体の内側及び外側に開くように構成してあることを特徴とする請求項１に記載のトースター。
【請求項３】
前記連動機構は、
前記蓋体を付勢して閉位置に保つ付勢体と、
前記蓋体に一端を連結されたリンク棒と、
該リンク棒の他端に係合され、前記操作レバーの操作に応じて移動する移動体と
を有することを特徴とする請求項１又は２に記載のトースター。
【請求項４】
前記蓋体は、金属板及び樹脂板を積層してなる板状部材であり、前記金属板を前記筐体の内側に向けて取り付けてあることを特徴とする請求項１から３までのいずれかひとつに記載のトースター。
【請求項５】
前記移動体は、前記操作レバーに所定操作が行われた場合、前記リンク棒との係合が解除されるように構成してあることを特徴とする請求項３に記載のトースター。
【発明の詳細な説明】
【技術分野】
【０００１】
本発明は、ポップアップ式のトースターに関する。
【背景技術】
【０００２】
ポップアップ式のトースターは、筐体内部に挿入されたパンを支持する支持台、支持台を昇降させるための昇降レバー等を有し、昇降レバーの操作によって支持台が昇降するように構成されている。また、ポップアップ式のトースターは、筐体内部にパンを挿入するためのパン挿入口が筐体の上面に設けられている。
特許文献１では、パン挿入口からの塵埃の侵入を防止するために筐体（外装ケース）に蓋体（スライド式のシャッター）を設けたトースターが提案されている。
【先行技術文献】
【特許文献】
【０００３】
【特許文献１】特許第４４７８５０３号公報
【発明の概要】
【発明が解決しようとする課題】
【０００４】
特許文献１に開示されたトースターを使用する場合、ユーザは、シャッターを開け、パン挿入口からパンを挿入した後、昇降レバーを下げてパンを所定の加熱位置にセットする必要がある。即ち、シャッターの操作と昇降レバーの操作とを行う必要があるという問題を有する。
【０００５】
本発明は斯かる事情に鑑みてなされたものであり、その目的とするところは、パン挿入口からの塵埃の侵入を防止できると共に操作性がよいトースターを提供することにある。
【課題を解決するための手段】
【０００６】
本発明に係るトースターは、上面にパン挿入口を有する筐体と、該筐体の内部に設けてあり、前記パン挿入口から挿入されるパンを下方から支えて昇降移動する昇降台と、前記筐体の外部での操作により前記昇降台を昇降させる操作レバーとを備えるトースターにおいて、前記パン挿入口を開閉する蓋体と、前記操作レバーの操作を前記蓋体の開閉動作に連動させる連動機構とを備えることを特徴とする。
【０００７】
本発明に係るトースターは、前記蓋体は、前記筐体の内側及び外側に開くように構成してあることを特徴とする。
【０００８】
本発明に係るトースターは、前記連動機構は、前記蓋体を付勢して閉位置に保つ付勢体と、前記蓋体に一端を連結されたリンク棒と、該リンク棒の他端に係合され、前記操作レバーの操作に応じて移動する移動体とを有することを特徴とする。
【０００９】
本発明に係るトースターは、前記蓋体は、金属板及び樹脂板を積層してなる板状部材であり、前記金属板を前記筐体の内側に向けて取り付けてあることを特徴とする。
【００１０】
本発明に係るトースターは、前記移動体は、前記操作レバーに所定操作が行われた場合、前記リンク棒との係合が解除されるように構成してあることを特徴とする。
【発明の効果】
【００１１】
本発明によれば、筐体の上面にパン挿入口が設けてあり、操作レバーの操作に従って、パン挿入口から挿入されたパンを下方から支える昇降台が昇降するトースターにおいて、パン挿入口に設けられた蓋体が、操作レバーの操作に連動して開閉する。よって、ユーザが操作レバーを操作することにより、昇降台（昇降台に支えられているパン）の昇降及び蓋体の開閉が行われるので、操作性がよい。
【図面の簡単な説明】
【００１２】
【図１】実施形態１のトースターの外観斜視図である。
【図２】蓋体の開閉機構の説明図である。
【図３】蓋体の開閉機構の説明図である。
【図４】蓋体の開閉動作の説明図である。
【図５】蓋体の開閉動作の説明図である。
【図６】蓋体の開閉動作の説明図である。
【図７】蓋体の開閉動作の説明図である。
【図８】蓋体の開閉動作の説明図である。
【図９】蓋体の開閉動作の説明図である。
【図１０】実施形態２のトースターにおける蓋体の開閉機構の説明図である。
【図１１】実施形態３のトースターにおける蓋体の構成を示す模式図である。
【発明を実施するための形態】
【００１３】
以下に、本発明に係るトースターについて、その実施形態を示す図面に基づいて詳述する。
【００１４】
（実施形態１）
以下に、実施形態１のトースターについて説明する。図１は、実施形態１のトースターの外観斜視図である。
本実施形態１のトースター１はポップアップ式のトースターである。本実施形態１のトースター１は、直方体形状の筐体１０を有し、筐体１０の内部には、スライスされた食パンを立てた状態で収納可能な加熱室１２ａ，１２ｂが仕切り板１２を隔てて並設してある。本実施形態１では、加熱室１２ａ，１２ｂは２つとするが、この構成に限らない。
【００１５】
筐体１０の上面には、加熱室１２ａ，１２ｂのそれぞれにパンを挿入するための矩形のパン挿入口１０ａ，１０ｂが並設してあり、パン挿入口１０ａ，１０ｂには、それぞれのパン挿入口１０ａ，１０ｂを開閉する矩形の蓋体２０ａ，２０ｂが設けてある。図１Ａには、蓋体２０ａ，２０ｂが閉められた状態を示し、図１Ｂには、蓋体２０ａ，２０ｂが筐体１０の外側に開けられた状態を示す。
【００１６】
筐体１０の内部には、加熱室１２ａ，１２ｂにそれぞれ収納されたパンを両面側から加熱するヒータ（図示せず）が設けてある。例えば、仕切り板１２と、仕切り板１２に対向する筐体１０の内面とにそれぞれヒータが設けてある。
また、それぞれの加熱室１２ａ，１２ｂ内には、パン挿入口１０ａ，１０ｂから挿入されたパンを下方から支えて昇降移動する昇降台１３（図３参照）が設けてある。昇降台１３は、ユーザが操作する操作レバー３０に取り付けられている。昇降台１３に一端を取り付けられた操作レバー３０の他端は、筐体１０の長手方向の一端面（図１では手前側の側面）に上下方向に形成されたスリット１１を通して筐体１０の外部に延びている。このような構成により、ユーザが操作レバー３０をスリット１１に沿って上下方向に操作した場合、ユーザの操作に連動して昇降台１３が上下方向に移動する。なお、昇降台１３は、加熱室１２ａ，１２ｂにそれぞれ挿入されたパンを支える２つの支持板が連結して構成してあるので、操作レバー３０の操作に連動して、加熱室１２ａ，１２ｂにそれぞれ挿入されたパンが同時に昇降される。
【００１７】
昇降台１３又は操作レバー３０は、例えばコイルばね（図示せず）を用いて常時上方向に付勢されており、自然状態では、操作レバー３０がスリット１１の上方に位置するように構成されている。また、トースター１は、操作レバー３０及び昇降台１３を最下位置で固定する公知のロック機構を有する。操作レバー３０がユーザによって最下位置に操作された場合、ロック機構によって操作レバー３０及び昇降台１３が最下位置で固定（ロック）される。
【００１８】
またトースター１は、操作レバー３０が最下位置に操作された場合に、電源（図示せず）からの電力がヒータに供給されて加熱処理が開始するように構成されている。更にトースター１は、操作レバー３０が最下位置に操作された場合に所定時間の計時を開始するタイマ（図示せず）を有している。トースター１は、タイマによる所定時間の計時が終了した場合、ヒータへの電力供給が終了すると共に、ロック機構による操作レバー３０及び昇降台１３のロックが解除されるように構成されている。ロック機構による操作レバー３０及び昇降台１３のロックが解除された場合、コイルばねの付勢力によって昇降台１３及び操作レバー３０が上昇する。
【００１９】
図２及び図３は、蓋体２０ａ，２０ｂの開閉機構の説明図であり、図２には、図１Ａのトースター１の手前側から開閉機構を見た状態を示し、図３には、図１Ａのトースター１の左側から開閉機構を見た状態を示す。
本実施形態１のトースター１では、蓋体２０ａ，２０ｂは、パン挿入口１０ａ，１０ｂの外側の長縁部に沿った軸（枢軸）を中心に回動可能に取り付けられており、枢軸に保持されたねじりばね（付勢体）２１ａ，２１ｂが設けられている。ねじりばね２１ａ，２１ｂは、一端を、筐体１０のパン挿入口１０ａ，１０ｂの近傍に設けられた取付部１４ａ，１４ｂに取り付けられ、他端を、蓋体２０ａ，２０ｂの下面に設けられた取付部１５ａ，１５ｂに取り付けられている。蓋体２０ａ，２０ｂは、ねじりばね２１ａ，２１ｂによって、図１Ａ及び図２に示すようにパン挿入口１０ａ，１０ｂを閉じる位置（閉位置）に付勢されており、自然状態では、パン挿入口１０ａ，１０ｂを閉じる位置に配される。蓋体２０ａ，２０ｂは、それぞれの外側の長縁部に沿った軸を中心に回動可能であるので観音開きに開くことができる。具体的には、蓋体２０ａ，２０ｂは、図１Ｂに示すように筐体１０の外側に開くことができ、また、筐体１０の内側にも開くことができる。
【００２０】
また、本実施形態１のトースター１は、操作レバー３０に対するユーザの操作を蓋体２０ａ，２０ｂの開閉動作に連動させる連動機構を有する。連動機構は、移動体３２、リンク棒２２ａ，２２ｂ及びガイド板３３ａ，３３ｂ等を有する。本実施形態１の移動体３２は、六角形状の平板であり、操作レバー３０と昇降台１３との連結箇所に立てた状態で設けられている。具体的には、移動体３２の一面に操作レバー３０が取り付けられており、他面に昇降台１３が取り付けられている。これにより、移動体３２は、操作レバー３０の上下方向への操作に応じて上下方向に移動する（昇降する）。
【００２１】
移動体３２の昇降台１３側にはガイド板３３ａ，３３ｂが配置されている。ガイド板３３ａ，３３ｂは、矩形平板であり、一面に半円弧状のガイド溝３４ａ，３４ｂが形成してある。ガイド板３３ａ，３３ｂは、ガイド溝３４ａ，３４ｂを移動体３２側に向けると共に、図２に示すようにガイド溝３４ａ，３４ｂの両端をそれぞれ外側に向けて配置されている。また、ガイド板３３ａ，３３ｂは、筐体１０内部において、移動体３２から所定間隔を隔てた位置に固定されている。なお、昇降台１３及び移動体３２は、昇降台１３から延設され、２つのガイド板３３ａ，３３ｂの隙間を通る取付部（図示せず）にて連結されている。
【００２２】
リンク棒２２ａ，２２ｂは細長い棒であり、一端が、蓋体２０ａ，２０ｂの下面に設けられたリンク棒取付部２３ａ，２３ｂに回動可能に連結されている。リンク棒２２ａ，２２ｂの他端には、ピン２４ａ，２４ｂが設けてあり、ピン２４ａ，２４ｂの両端部はリンク棒２２ａ，２２ｂからそれぞれ突出している。リンク棒２２ａ，２２ｂは、移動体３２及びガイド板３３ａ，３３ｂの間に配置されており、リンク棒２２ａ，２２ｂのピン２４ａ，２４ｂは、一端がガイド板３３ａ，３３ｂのガイド溝３４ａ，３４ｂに嵌合され、他端が移動体３２の側面に係合している。
【００２３】
以下に、上述した構成の連動機構による蓋体２０ａ，２０ｂの開閉動作について説明する。図４乃至図９は、蓋体２０ａ，２０ｂの開閉動作の説明図である。
図２に示す状態において、トースター１を使用する場合、ユーザは、図４に示すように操作レバー３０を下方向に操作する。操作レバー３０が下方向に操作された場合、移動体３２が下方向に移動する。このとき、移動体３２の下側の側面にてピン２４ａ，２４ｂに下方向の力が加わり、ピン２４ａ，２４ｂがガイド溝３４ａ，３４ｂに沿って下方向に移動し、これに伴いリンク棒２２ａ，２２ｂが下方向に移動する。その結果、蓋体２０ａ，２０ｂのリンク棒取付部２３ａ，２３ｂがリンク棒２２ａ，２２ｂにて下方向に引っ張られ、蓋体２０ａ，２０ｂが下方向（筐体１０の内側）に開けられる。図４に示す状態で、ユーザは、パン挿入口１０ａ，１０ｂからパンを挿入する。
【００２４】
その後、ユーザは、図５に示すように操作レバー３０を更に下方向に操作する。２つのガイド溝３４ａ，３４ｂのそれぞれ下側の端部間の距離は、移動体３２の横方向の幅よりも長くしてあるので、操作レバー３０の下方向への操作が継続された場合、ピン２４ａ，２４ｂと移動体３２の側面との係合が解消する。ピン２４ａ，２４ｂと移動体３２との係合が解消した場合、ねじりばね２１ａ，２１ｂの付勢力によって蓋体２０ａ，２０ｂが閉位置に戻ろうとし、リンク棒２２ａ，２２ｂに上方向の力が加わる。これにより、リンク棒２２ａ，２２ｂが上方向に移動すると共にピン２４ａ，２４ｂがガイド溝３４ａ，３４ｂに沿って上方向に移動する。そして、図６に示すように蓋体２０ａ，２０ｂが閉位置となった時点でリンク棒２２ａ，２２ｂの移動が終了する。このとき、蓋体２０ａ，２０ｂはパン挿入口１０ａ，１０ｂを閉じた状態となり、ピン２４ａ，２４ｂは移動体３２の上方に位置する。
【００２５】
図６に示す状態から、ユーザは更に操作レバー３０を下方向に操作し、最下位置まで操作レバー３０を操作する。操作レバー３０が最下位置まで操作された場合、操作レバー３０及び昇降台１３の位置がロック機構によってロックされると共に、ヒータによる加熱処理が開始される。またトースター１はタイマによる所定時間の計時を行い、所定時間の経過後、ヒータによる加熱処理が終了し、操作レバー３０及び昇降台１３のロックが解除される。
【００２６】
操作レバー３０及び昇降台１３のロックが解除された場合、昇降台１３又は操作レバー３０を付勢するコイルばねの付勢力によって操作レバー３０及び昇降台１３が図２及び図３に示す位置に戻ろうとして上方向に移動する。また、操作レバー３０の移動に伴い移動体３２が上方向に移動する。このとき、移動体３２の上側の側面にてピン２４ａ，２４ｂに上方向の力が加わり、ピン２４ａ，２４ｂがガイド溝３４ａ，３４ｂに沿って上方向に移動し、これに伴いリンク棒２２ａ，２２ｂが上方向に移動する。その結果、蓋体２０ａ，２０ｂのリンク棒取付部２３ａ，２３ｂがリンク棒２２ａ，２２ｂにて上方向に押し上げられ、図７に示すように、蓋体２０ａ，２０ｂが上方向（筐体１０の外側）に開けられる。図７に示す状態で、ユーザは、パン挿入口１０ａ，１０ｂから一部が排出されたパンを取り出すことができる。
【００２７】
蓋体２０ａ，２０ｂは、図８に示すように操作レバー３０が更に上方向に操作されることにより閉じるように構成してある。操作レバー３０が更に上方向に操作された場合、移動体３２の上側の側面がピン２４ａ，２４ｂを更に押し上げた後、図８に示すように移動体３２の側面とピン２４ａ，２４ｂとの係合が解消する。なお、２つのガイド溝３４ａ，３４ｂのそれぞれ上側の端部間の距離も、移動体３２の横方向の幅よりも長くしてあるので、操作レバー３０の上方向への操作が継続された場合、ピン２４ａ，２４ｂと移動体３２との係合が解消する。ピン２４ａ，２４ｂと移動体３２との係合が解消した場合、リンク棒２２ａ，２２ｂ及びピン２４ａ，２４ｂの重みによってピン２４ａ，２４ｂがガイド溝３４ａ，３４ｂに沿って下方向に移動すると共にリンク棒２２ａ，２２ｂが下方向に移動する。また蓋体２０ａ，２０ｂは、ねじりばね２１ａ，２１ｂの付勢力によって閉位置に戻され、図９に示すように蓋体２０ａ，２０ｂが閉位置となった時点でリンク棒２２ａ，２２ｂの移動が終了する。その後、ユーザが操作レバー３０の操作を終了した場合（操作レバー３０からユーザが手を離した場合）、昇降台１３又は操作レバー３０を付勢するコイルばねの付勢力によって昇降台１３及び操作レバー３０が図２及び図３に示す位置に戻る。
【００２８】
本実施形態１のトースター１では、筐体１０の上面に設けられたパン挿入口１０ａ，１０ｂに蓋体２０ａ，２０ｂが設けてあるので、蓋体２０ａ，２０ｂを閉じておくことにより、パン挿入口１０ａ，１０ｂからの塵埃の侵入を防止できる。また、加熱処理中に蓋体２０ａ，２０ｂを閉じておくことにより、パンを焼くのに必要な熱が筐体１０の外部に逃げることを抑制できる。また、昇降台１３（昇降台１３に支持されているパン）を昇降させるための操作レバー３０の操作によって、蓋体２０ａ，２０ｂを開けることができるので操作性がよい。更に、操作レバー３０を上方向（又は下方向）に操作することによって、蓋体２０ａ，２０ｂを筐体１０の外側（又は内側）に開けることができるので直感的な操作が可能である。
【００２９】
本実施形態１のトースター１では、操作レバー３０が上下方向に操作されることに連動して、昇降台１３が上下方向に移動し、蓋体２０ａ，２０ｂが上側又は下側に開けられるが、この構成に限らない。例えば、操作レバー３０が左右方向に操作されることに連動して、昇降台１３が上下方向に移動し、蓋体２０ａ，２０ｂが上側又は下側に開けられる構成でもよい。
【００３０】
（実施形態２）
以下に、実施形態２のトースターについて説明する。本実施形態２のトースター１は、上述の実施形態１のトースター１と同様の構成を有するので、同様の構成については同一の符号を付して説明を省略する。図１０は、実施形態２のトースター１における蓋体２０ａ，２０ｂの開閉機構の説明図である。
本実施形態２のトースター１において、移動体３２は、例えばコイルばね（図示せず）を用いてガイド板３３ａ，３３ｂの方向に付勢されている。また、操作レバー３０は、矢符Ａに示す方向への操作が可能に構成されている。操作レバー３０が矢符Ａに示す方向に操作された場合、移動体３２も矢符Ａに示す方向に移動し、移動体３２の側面とリンク棒２２ａ，２２ｂのピン２４ａ，２４ｂとの係合が解除される。移動体３２とリンク棒２２ａ，２２ｂとの係合が解除された場合、連動機構による操作レバー３０の操作と蓋体２０ａ，２０ｂの開閉動作との連動が解除される。この場合、ユーザが手動で蓋体２０ａ，２０ｂを開閉できるようになる。
【００３１】
また、ユーザが操作レバー３０の矢符Ａに示す方向への操作を終了した場合（操作レバー３０から手を離した場合）、移動体３２を付勢するコイルばねの付勢力によって操作レバー３０が元の位置に戻る。この場合、移動体３２の側面とリンク棒２２ａ，２２ｂのピン２４ａ，２４ｂとの係合が再開されるので、連動機構による操作レバー３０の操作と蓋体２０ａ，２０ｂの開閉動作との連動が再開される。
本実施形態２のトースター１では、ユーザが操作レバー３０に所定の操作（矢符Ａに示す方向への操作）を行うことにより、操作レバー３０の操作と蓋体２０ａ，２０ｂの開閉動作との連動の実行及び解除を切り替えることができる。
【００３２】
（実施形態３）
以下に、実施形態３のトースターについて説明する。本実施形態３のトースター１は、上述の実施形態１のトースター１と、蓋体２０ａ，２０ｂの構成のみが異なるので、蓋体２０ａ，２０ｂの構成についてのみ説明する。図１１は、実施形態３のトースター１における蓋体２０ａ，２０ｂの構成を示す模式図である。
本実施形態３のトースター１では、蓋体２０ａ，２０ｂは、金属板２０ａａ，２０ｂａと樹脂板２０ａｂ，２０ｂｂとが積層された板状部材であり、金属板２０ａａ，２０ｂａを筐体１０の内側に向けてパン挿入口１０ａ，１０ｂに取り付けられている。具体的には、ねじりばね２１ａ，２１ｂの一端が、筐体１０に設けられた取付部１４ａ，１４ｂに取り付けられ、他端が、蓋体２０ａ，２０ｂの金属板２０ａａ，２０ｂａに設けられた取付部１５ａ，１５ｂに取り付けられている。また、リンク棒取付部２３ａ，２３ｂは、蓋体２０ａ，２０ｂの金属板２０ａａ，２０ｂａに設けられている。
【００３３】
このような構成により、パンの調理中（加熱中）に蓋体２０ａ，２０ｂを閉めておくことによって、パンを焼くのに必要な熱が筐体１０の外部に放出することを防止でき、効率のよい加熱処理が可能となる。また、加熱処理中に蓋体２０ａ，２０ｂの外側が熱くなることを防止でき、安全にトースター１を使用することができる。
蓋体２０ａ，２０ｂは、金属板２０ａａ，２０ｂａと樹脂板２０ａｂ，２０ｂｂとを積層した二重構造のほかに、金属板２０ａａ，２０ｂａに樹脂製のカバー２０ａｂ，２０ｂｂを被覆した構成でもよい。
本実施形態３の蓋体２０ａ，２０ｂの構成は、上述した実施形態２のトースター１の蓋体２０ａ，２０ｂにも適用できる。
【００３４】
本実施形態に係るトースター（１）は、上面にパン挿入口（１０ａ，１０ｂ）を有する筐体（１０）と、該筐体（１０）の内部に設けてあり、前記パン挿入口（１０ａ，１０ｂ）から挿入されるパンを下方から支えて昇降移動する昇降台（１３）と、前記筐体（１０）の外部での操作により前記昇降台（１３）を昇降させる操作レバー（３０）とを備えるトースター（１）において、前記パン挿入口（１０ａ，１０ｂ）を開閉する蓋体（２０ａ，２０ｂ）と、前記操作レバー（３０）の操作を前記蓋体（２０ａ，２０ｂ）の開閉動作に連動させる連動機構とを備えることを特徴とする。
【００３５】
本実施形態に係るトースター（１）によれば、上面に設けられたパン挿入口（１０ａ，１０ｂ）に蓋体（２０ａ，２０ｂ）が設けてある。よって、蓋体（２０ａ，２０ｂ）を閉じておくことにより、パン挿入口（１０ａ，１０ｂ）からの塵埃の侵入を防止できる。また、蓋体（２０ａ，２０ｂ）は、連動機構によって操作レバー（３０）の操作に連動して開閉する。よって、ユーザは、昇降台（昇降台に支持されているパン）を昇降させる場合であっても、蓋体（２０ａ，２０ｂ）を開閉させる場合であっても操作レバー（３０）を操作すればよく操作性がよい。
【００３６】
本実施形態に係るトースター（１）は、前記蓋体（２０ａ、２０ｂ）は、前記筐体（１０）の内側及び外側に開くように構成してあることを特徴とする。
【００３７】
本実施形態に係るトースター（１）によれば、蓋体（２０ａ，２０ｂ）は、筐体（１０）の内側にも外側にも開く。よって、パンを出し入れする際に適切に蓋体（２０ａ，２０ｂ）を開閉させることができる。
【００３８】
本実施形態に係るトースター（１）は、前記連動機構は、前記蓋体（２０ａ，２０ｂ）を付勢して閉位置に保つ付勢体（２１ａ，２１ｂ）と、前記蓋体（２０ａ，２０ｂ）に一端を連結されたリンク棒（２２ａ，２２ｂ）と、該リンク棒（２２ａ，２２ｂ）の他端に係合され、前記操作レバー（３０）の操作に応じて移動する移動体（３２）とを有することを特徴とする。
【００３９】
本実施形態に係るトースター（１）によれば、操作レバー（３０）の操作に応じて移動する移動体（３２）と蓋体（２０ａ，２０ｂ）とがリンク棒（２２ａ，２２ｂ）でリンクしてある。よって、操作レバー（３０）の操作が移動体（３２）及びリンク棒（２２ａ，２２ｂ）を介して蓋体（２０ａ，２０ｂ）に伝わり、蓋体（２０ａ，２０ｂ）が開閉する。蓋体（２０ａ，２０ｂ）は、付勢体（２１ａ，２１ｂ）によってパン挿入口（１０ａ，１０ｂ）を閉じる位置に付勢されている。よって、操作レバー（３０）が操作されていない場合、蓋体（２０ａ，２０ｂ）はパン挿入口（１０ａ，１０ｂ）を閉じた状態となる。
【００４０】
本実施形態に係るトースター（１）は、前記蓋体（２０ａ，２０ｂ）は、金属板（２０ａａ，２０ｂａ）及び樹脂板（２０ａｂ，２０ｂｂ）を積層してなる板状部材であり、前記金属板（２０ａａ，２０ｂａ）を前記筐体（１０）の内側に向けて取り付けてあることを特徴とする。
【００４１】
本実施形態に係るトースター（１）によれば、蓋体（２０ａ，２０ｂ）は、筐体（１０）の内部側が金属板（２０ａａ，２０ｂａ）で構成され、筐体（１０）の外部側が樹脂板（２０ａｂ，２０ｂｂ）で構成されている。よって、パンの調理中（加熱中）に蓋体（２０ａ，２０ｂ）を閉じておくことにより、筐体（１０）の外部に熱が放出することを防止し、効率よく加熱することができる。また、蓋体（２０ａ，２０ｂ）の外側が熱くなることを防止し、安全に使用することができる。
【００４２】
本実施形態に係るトースター（１）は、前記移動体（３２）は、前記操作レバー（３０）に所定操作が行われた場合、前記リンク棒（２２ａ，２２ｂ）との係合が解除されるように構成してあることを特徴とする。
【００４３】
本実施形態に係るトースター（１）によれば、移動体（３２）とリンク棒（２２ａ，２２ｂ）との係合を解除することにより、操作レバー（３０）の操作と蓋体（２０ａ，２０ｂ）の開閉動作との連動が解除される。この場合、ユーザが手動で蓋体（２０ａ，２０ｂ）を開閉できるようになる。
【００４４】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４５】
１  トースター
１０  筐体
１３  昇降台
３０  操作レバー
３２  移動体
１０ａ，１０ｂ  パン挿入口
２０ａ，２０ｂ  蓋体
２１ａ，２１ｂ  ねじりばね（付勢体）
２２ａ，２２ｂ  リンク棒
２０ａａ，２０ｂａ  金属板
２０ａｂ，２０ｂｂ  樹脂板
【図１】
2016010625.tif 000003
【図２】
2016010625.tif 000004
【図３】
2016010625.tif 000005
【図４】
2016010625.tif 000006
【図５】
2016010625.tif 000007
【図６】
2016010625.tif 000008
【図７】
2016010625.tif 000009
【図８】
2016010625.tif 000010
【図９】
2016010625.tif 000011
【図１０】
2016010625.tif 000012
【図１１】
2016010625.tif 000013